(57)【要約】【課題】注文データ処理方法およびプリント注文処理システムを提供することであり、特に撮影写真の焼付けプリントの注文処理を効率的に行えるとともに、誤検品や誤出荷を効果的に防止することのできる、注文データ処理方法およびプリント注文処理システムを提供すること。【解決手段】電気通信回線を介して受信された、またはそれ以外の方法で受け取られた文字データから構成される注文データの全部または一部を、写真焼付けプリンタにて取り扱いの可能な画像データに変換するデータ変換過程Ｐ１と、ついで、データ変換過程Ｐ１にて生成した画像データを、写真焼付けプリンタを用いて処理して注文データに基づくプリントを得る焼付けプリント過程Ｐ２と、から注文データ処理方法を構成する。【選択図】  図１
2005038023.tif 000002
【特許請求の範囲】
【請求項１】
商品または役務の注文をデータによって受けるに際し、該注文に係る注文データを処理するための注文データ処理方法であって、文字データから構成される該注文データの全部または一部を写真焼付けプリンタにて取り扱いの可能な画像データに変換するデータ変換過程と、該データ変換過程にて生成した画像データを写真焼付けプリンタを用いて処理して該注文データに基づくプリントを得る焼付けプリント過程と、を有することを特徴とする、注文データ処理方法。
【請求項２】
前記注文データはインターネット等の電気通信回線を介してなされる写真撮影データの焼付けプリントの注文にかかるデータであり、前記データ変換過程は、該電気通信回線を介して受信された文字データから構成される該注文データの全部または一部を写真焼付けプリンタにて取り扱いの可能な画像データに変換するデータ変換過程であり、該データ変換過程において変換されるデータには少なくとも注文者の住所および氏名もしくは名称に係るデータが含まれ、前記注文データに基づくプリントは、写真撮影データの焼付けプリント注文に係る商品の納品にあたり、その送付状または納品書その他の取引用帳票類として用いることができるものであることを特徴とする、請求項１に記載の注文データ処理方法。
【請求項３】
写真撮影データの焼付けプリントの注文を処理するためのプリント注文処理システムであって、該システムは、文字データから構成される該注文データの全部または一部を写真焼付けプリンタにて取り扱いの可能な画像データに変換するためのデータ変換手段と、該データ変換手段により生成した画像データを処理して該注文データに基づくプリントを得るための写真焼付けプリンタと、を備えて構成されることを特徴とする、プリント注文処理システム。
【請求項４】
インターネット等の電気通信回線を介してなされる写真撮影データの焼付けプリントの注文を処理するためのプリント注文処理システムであって、該システムは、該電気通信回線を介して受信された文字データから構成される該注文データの全部または一部を写真焼付けプリンタにて取り扱いの可能な画像データに変換するためのデータ変換手段と、該データ変換手段により生成した画像データを処理して該注文データに基づくプリントを得るための写真焼付けプリンタと、を備えて構成されることを特徴とする、プリント注文処理システム。
【請求項５】
インターネット等の電気通信回線を介してなされる写真撮影データの焼付けプリントの注文を処理するためのプリント注文処理システムであって、該システムは、該電気通信回線を介して文字データから構成される該注文データの全部または一部を写真焼付けプリンタにて取り扱いの可能な画像データに変換するためのデータ変換手段と、該データ変換手段により生成した画像データを受信する画像データ受信手段と、該受信された画像データを処理して該注文データに基づくプリントを得るための写真焼付けプリンタと、を備えて構成されることを特徴とする、プリント注文処理システム。
【請求項６】
複数種類のデータから構成される前記注文データの中から前記データ変換手段による画像データへの変換の対象とするデータを抽出するための文字データ抽出手段が設けられ、該文字データ抽出手段は単一の注文データから、異なる複数の変換対象データ群を抽出することができ、抽出された各データ群ごとの該データ変換手段による画像データへの変換が可能であることを特徴とする、請求項３ないし５のいずれかに記載のプリント注文処理システム。
【請求項７】
送付状、宛名シール、納品書、請求書、領収書、納品書兼請求書、請求書兼領収書、納品書兼請求書兼領収書、その他の取引用書類または帳票類が写真焼付けされていることを特徴とする、取引用書類等写真プリント。
【発明の詳細な説明】
【０００１】
【発明の属する技術分野】
本発明は注文データ処理方法、プリント注文処理システムおよび取引用書類等写真プリントに関し、特に、撮影写真の焼付けプリントの注文処理を効率的に行えるとともに、誤検品や誤出荷を効果的に防止することのできる、注文データ処理方法、プリント注文処理システムおよび取引用書類等写真プリントに関する。
【０００２】
【従来の技術】
デジタルカメラの高精度化および普及に伴い、これにより撮影した写真データの焼付けプリントの注文を、インターネット等の電気通信回線によりオンラインで受けて納品するサービスが、多く提供されるようになってきている。かかるサービスでは、発注者は焼付けプリントを希望する画像データを、文字データからなる自身の住所・氏名・電話番号・電子メールアドレス等の所定の登録用個人情報データあるいはその都度必要なデータとともにサービス提供者に送信し、一方これを受注したサービス提供者は、写真データに基づき画像データの処理を実行して焼付けプリントを製作するとともに、個人情報データに基づき文字データの処理を実行して送付状・納品書・請求書等を別途作成し、これらを合わせて、発注者に納品する。
【０００３】
撮影写真データの焼付けプリント注文方法に関連する先行技術を知るため、特許出願等の検索調査を行った。特許庁ホームページ上の特許電子図書館（ＩＰＤＬ）の特許実用新案公報テキスト検索メニューを用い、下記条件にて検索した。
【０００４】
検索式
要約＋特許請求の範囲＝（受注ｏｒ注文）ａｎｄデータａｎｄ写真ａｎｄ画像ａｎｄ変換ａｎｄ（ファイルｏｒ形式）
検索対象：公開特許、公開実用新案、特許、実用新案の各公報。
検索結果
公開特許公報  ヒット件数  １６件。
公開実用新案公報、特許公報、実用新案公報はいずれもヒット件数０件。
【０００５】
このうち、特開２００３−１１０９９６号に開示の「画像記録印刷受発注システム、他」は、発注者便宜のため画像データの閲覧および印刷の発注に必要なデータと管理アルゴリズムとを一元管理する技術として、  画像記録装置、画像閲覧印刷発注装置、印刷受注装置を備えた画像記録印刷受発注システムを提案している（特許文献１）。また、特開２００１−３２０６５４号に開示の「フォトサービスシステムおよび画像入力装置」は、メディアの携帯性をよくするために、取外し可能な外部記憶媒体にデジタル画像データを保存する手段を提案している（特許文献２）。
【０００６】
また、特開２００１−２９７２３８号に開示の「プリント注文受付器、他」は、画像合成操作の容易化等を目的としてその解決手段を（特許文献３）、また特開２０００−２８４３７４号に開示の「写真フィルム及び画像編集装置」は、記録媒体上の画像に印刷や編集等の処理を行う際の効率的な対象画像特定手段を、それぞれ提案している（特許文献４）。
【０００７】
【特許文献１】
特開２００３−１１０９９６号公報  「画像記録印刷受発注システム、画像記録装置、画像閲覧印刷発注装置、印刷受注装置、画像記録方法、画像閲覧印刷発注方法、印刷受注方法及び記憶媒体」。要約。特許請求の範囲。発明の詳細な説明、段落０００１〜０００７。図面、図１。
【特許文献２】
特開２００１−３２０６５４号公報  「フォトサービスシステム及び画像入力装置」。要約。特許請求の範囲、請求項１。図面、図１２。
【特許文献３】
特開２００１−２９７２３８号公報  「プリント注文受付器、プリント注文受付作成システム、及びプリント注文データプロダクト」。要約。特許請求の範囲、請求項１。図面、図１２、１３、１４。
【特許文献４】
特開２０００−２８４３７４号公報  「写真フィルム及び画像編集装置」。要約。特許請求の範囲、請求項１。図面、図１、２、５、６、７。
【０００８】
【発明が解決しようとする課題】
上述したように撮影写真の焼付けプリントサービスでは、受注したサービス提供者は、写真データに基づき画像データの処理を実行して焼付けプリントを製作するとともに、個人情報データに基づき文字データの処理を実行して送付状・納品書・請求書等を別途作成し、これらを合わせて発注者に納品する。それぞれのデータ処理は、データの形式に合わせて適切かつ充分な方法により行われるものであるが、次のような問題点がある。
（ａ）注文に係る写真のプリント自体には発注者の住所・氏名といった文字データによる顧客情報は記載されずに出力され、一方これとは別過程で該文字データによる顧客情報が処理されて送付状・納品書等が出力されるため、検品の際に他の発注者のプリントとの仕分け間違いが生じる危険性がある（誤検品）。
（ｂ）それを防止するための労力が、よけいにかかる。
（ｃ）同様の理由により、出荷の際にも誤った出荷の生じる危険性があり（誤出荷）、それを防止するための労力が、よけいにかかる。
かかる問題点は、上記各特許文献に示された提案においても、これを解決することができない。実際、ソフト上やＷｅｂ上で、顧客により入力された顧客データが読み取られ、サービス提供者（受注者）側がこれを処理するには、改めて手書きや新規入力により文書を作成して印刷し、送付状等に用いているのが実情である。
【０００９】
本発明の課題は、かかる従来技術の欠点を解消し、注文データ処理方法およびプリント注文処理システムを提供することであり、特に、撮影写真の焼付けプリントの注文処理を効率的に行えるとともに、誤検品や誤出荷を効果的に防止することができる、注文データ処理方法、プリント注文処理システムおよび取引用書類等写真プリントを提供することである。
【００１０】
【課題を解決するための手段】
本願発明者は上記課題につき鋭意検討し、データ形式の異なるデータを単一の手段により出力することにより課題解決が可能であることを見出し、その解決手段に至った。すなわち、上記課題を解決するための手段として、本願で特許請求される発明は以下のとおりである。
【００１１】
（１）  商品または役務の注文をデータによって受けるに際し、該注文に係る注文データを処理するための注文データ処理方法であって、文字データから構成される該注文データの全部または一部を写真焼付けプリンタにて取り扱いの可能な画像データに変換するデータ変換過程と、該データ変換過程にて生成した画像データを写真焼付けプリンタを用いて処理して該注文データに基づくプリントを得る焼付けプリント過程と、を有することを特徴とする、注文データ処理方法。
【００１２】
（２）  前記注文データはインターネット等の電気通信回線を介してなされる写真撮影データの焼付けプリントの注文にかかるデータであり、前記データ変換過程は、該電気通信回線を介して受信された文字データから構成される該注文データの全部または一部を写真焼付けプリンタにて取り扱いの可能な画像データに変換するデータ変換過程であり、該データ変換過程において変換されるデータには少なくとも注文者の住所および氏名もしくは名称に係るデータが含まれ、前記注文データに基づくプリントは、写真撮影データの焼付けプリント注文に係る商品の納品にあたり、その送付状または納品書その他の取引用帳票類として用いることができるものであることを特徴とする、（１）に記載の注文データ処理方法。
【００１３】
（３）  写真撮影データの焼付けプリントの注文を処理するためのプリント注文処理システムであって、該システムは、文字データから構成される該注文データの全部または一部を写真焼付けプリンタにて取り扱いの可能な画像データに変換するためのデータ変換手段と、該データ変換手段により生成した画像データを処理して該注文データに基づくプリントを得るための写真焼付けプリンタと、を備えて構成されることを特徴とする、プリント注文処理システム。
【００１４】
（４）  インターネット等の電気通信回線を介してなされる写真撮影データの焼付けプリントの注文を処理するためのプリント注文処理システムであって、該システムは、該電気通信回線を介して受信された文字データから構成される該注文データの全部または一部を写真焼付けプリンタにて取り扱いの可能な画像データに変換するためのデータ変換手段と、該データ変換手段により生成した画像データを処理して該注文データに基づくプリントを得るための写真焼付けプリンタと、を備えて構成されることを特徴とする、プリント注文処理システム。
【００１５】
（５）  インターネット等の電気通信回線を介してなされる写真撮影データの焼付けプリントの注文を処理するためのプリント注文処理システムであって、該システムは、該電気通信回線を介して文字データから構成される該注文データの全部または一部を写真焼付けプリンタにて取り扱いの可能な画像データに変換するためのデータ変換手段と、該データ変換手段により生成した画像データを受信する画像データ受信手段と、該受信された画像データを処理して該注文データに基づくプリントを得るための写真焼付けプリンタと、を備えて構成されることを特徴とする、プリント注文処理システム。
【００１６】
（６）  複数種類のデータから構成される前記注文データの中から前記データ変換手段による画像データへの変換の対象とするデータを抽出するための文字データ抽出手段が設けられ、該文字データ抽出手段は単一の注文データから、異なる複数の変換対象データ群を抽出することができ、抽出された各データ群ごとの該データ変換手段による画像データへの変換が可能であることを特徴とする、（３）ないし（５）のいずれかに記載のプリント注文処理システム。
【００１７】
（７）  送付状、宛名シール、納品書、請求書、領収書、納品書兼請求書、請求書兼領収書、納品書兼請求書兼領収書、その他の取引用書類または帳票類が写真焼付けされていることを特徴とする、取引用書類等写真プリント。
【００１８】
【発明の実施の形態】
以下、本発明を図面により詳細に説明する。
図１は、本発明に係る注文データ処理方法の構成を示すフロー図である。すなわち本注文データ処理方法は、商品または役務の注文をデータによって受けるに際し、該注文に係るデータである注文データを処理するためのものであり、文字データから構成される該注文データの全部または一部を、写真焼付けプリンタにて取り扱いの可能な画像データに変換するデータ変換過程Ｐ１と、ついで、該データ変換過程Ｐ１にて生成した画像データを、写真焼付けプリンタを用いて処理して該注文データに基づくプリントを得る焼付けプリント過程Ｐ２と、からなる（請求項１）。該注文データは、インターネット等の電気通信回線を介しての受信、またはＣＤ・ＭＯ・ＤＶＤ等の記録媒体の受取りによって、受け取られてから各過程Ｐ１、Ｐ２に供することもできるが、本発明はこれらに限定されず、該データ変換過程Ｐ１が該電気通信回線上において実施されて画像データが生成され、その画像データが受信されて該焼付けプリント過程Ｐ２に供される構成をとることもできる。
【００１９】
【作用】
本発明の注文データ処理方法は上述のように構成されるため、前記インターネット等の電気通信回線を介して受信された、またはそれ以外の方法で受け取られたり、あるいはまた入力された文字データから構成される該注文データの全部または一部は、データ変換過程Ｐ１において、写真焼付けプリンタにて取り扱いの可能な画像データに変換され、ついで焼付けプリント過程Ｐ２において、該データ変換過程Ｐ１にて生成した画像データが写真焼付けプリンタによって処理されて、該注文データに基づくプリントが出力される。つまり本発明方法の各過程Ｐ１およびＰ２を順に経ることによって、文字データから構成される注文データの必要部分が画像データとして扱うことのできるよう適宜の画像データに変換されて、画像として扱われて焼付けプリントの形での出力を得ることができる。上述のように該注文データは、インターネット等の電気通信回線を介しての受信、またはＣＤ・ＭＯ・ＤＶＤ等の記録媒体の受取りによって、受け取られてから各過程Ｐ１、Ｐ２により処理されることも、また、該データ変換過程Ｐ１による処理が該電気通信回線上においてなされて画像データが生成し、その画像データが受信されて該焼付けプリント過程Ｐ２の処理がなされるようにすることも可能である。後者はたとえば、注文者側において文字データの画像変換処理（Ｐ１）までがなされて、サービス提供者側に送信される場合が該当する。
【００２０】
注文データに係る注文の内容が、たとえばデジタルカメラ等での撮影写真の画像データから焼付けプリントを得ることのように画像データに基づく焼付けプリント製造である場合、該注文内容に対応する処理結果として得られる製造物と、該注文データの処理に基づき得られる文字表示結果物とが、ともに写真焼付けプリンタという単一共通の手段により焼付けプリントの形態をとる。そして、これら両者を同一の作業の中で取り扱って、ともに焼付けプリントとして得ることができ、また、これら両者にかかる焼付けプリントを同時に得ることができる。したがって、従来のように画像データと文字データをそれぞれそのままのデータ形式にてそれぞれ準備された別のアプリケーション・プログラムを用いて個別に処理する場合と比較して、処理過程および使用される設備構成が簡素化されて操作・取り扱いが簡易化され、したがって労力や人員の配置が軽減されてコスト上も好ましい上、検品や出荷の際の過誤が生じにくくなって、サービスの質・信頼の低下を防止することができる。
【００２１】
文字データが変換される画像データ形式は、焼付けプリント過程Ｐ２で用いる写真焼付けプリンタにおいて取り扱うことのできる形式であれば、特に限定されることなく、ＪＰＥＧ、ＢＩＴＭＡＰ、ＧＩＦ、ＴＩＦ、ＰＮＧ、その他適宜の形式のものとすることができる。写真焼付けプリンタの仕様は、特に限定されることなく公知の適宜のものを用いることができる。
【００２２】
前記注文データには、氏名または名称、郵便番号、住所、連絡先宛名、電話番号、携帯電話番号、ＦＡＸ番号、電子メールアドレスといった通信に際しての基本的な個人情報の他、注文番号（オーダー番号）、注文バーコード、注文日付、注文枚数、注文サイズ、注文仕上げ内容、希望納期、送付条件の指定といった注文内容に係るデータ、また、それぞれの個人情報についてのアルファベット表記、性別、年齢、職業、家族構成、誕生日、会員登録番号など任意的な個人情報が含まれる場合もあるが、本発明の注文データ処理方法のデータ変換過程Ｐ１において取り扱うデータは、その全部とすることも、その一部のみとすることもできる。たとえば注文物の出荷時に添付する送付状では、通常、郵便番号、住所、氏名または名称があれば足りるため、送付状としての焼付けプリントの出力に本方法を用いる場合は、該注文データから、これらのデータが抽出されればよい。また、納品書の場合はこれに加えて、上記注文内容に係るデータを適宜抽出する必要が考えられるが、その場合はこれらが取り扱い対象のデータとして抽出されればよい。
【００２３】
一の処理において、一の注文データから抽出されるべきデータ構成が複数の場合がある。たとえば、一の注文に対し、送付状および納品書あるいはこれに加えて請求書の出力が必要な場合、しかも納品書等に抽出すべきデータの全部については送付状用としては不要であり、不要なデータについては敢えて、人目に触れる可能性が納品書等に比べれば高い送付状には不記載としたい場合である。かかる場合に対応するために、本発明の注文データ処理方法では、前記データ変換過程Ｐ１におけるデータ変換処理に先立ち文字データを、たとえば送付状用と納品書等用とに分けて抽出処理を行って、それぞれに適したデータ構成を整えてから各画像データへの変換処理を行うようにすることができる。かかる方法により、一の注文データから、文字表示構成の異なる二種の焼付けプリント（一は送付状、一は納品書等）を得、前者は送付物の包装の表側に貼付し、後者は包装内部に封入することができる。
【００２４】
図１において本発明の注文データ処理方法は、前記注文データはインターネット等の電気通信回線を介してなされる写真撮影データの焼付けプリントの注文にかかるデータであり、前記データ変換過程は、該電気通信回線を介して受信された文字データから構成される該注文データの全部または一部を写真焼付けプリンタにて取り扱いの可能な画像データに変換するデータ変換過程であり、前記データ変換過程において変換されるデータには少なくとも注文者の住所および氏名もしくは名称に係るデータが含まれ、前記注文データに基づくプリントは、写真撮影データの焼付けプリント注文に係る商品の納品にあたりその送付状または納品書その他の取引用帳票類として使用可能なものとして構成することができる（請求項２）。前記焼付けプリント過程Ｐ２が写真焼付けプリンタの使用を構成要素とするため、デジタルカメラ等による写真撮影データの焼付けプリントサービスは、本発明の特長を発揮する代表的な役務であるといえる。
【００２５】
図２は、本発明のプリント注文処理システムの構成を示す概念図である。図において本プリント注文処理システム１０は、インターネット等の電気通信回線９０を介してなされるか、またはその他の方法でなされるかに関わらず、写真撮影データの焼付けプリントの注文を受けてこれを処理するためのシステムであって、該システム１０は、該電気通信回線９０を介して受信された、またはそれ以外の方法で受け取られた、あるいはまたそれらに限定されず何らかの方法で得られた、文字データから構成される該注文データの全部または一部を写真焼付けプリンタ５にて取り扱いの可能な画像データに変換するためのデータ変換手段３と、該データ変換手段３により生成した画像データを処理して該注文データに基づくプリントを得るための写真焼付けプリンタ５と、から主として構成される（請求項３）。該注文データはインターネット等の電気通信回線９０を介して受信されるものであっても（請求項４）、またはその他の方法で受け取られるものであってもよい。またはこれらに限定されず、後述するように、該データ変換手段３が該電気通信回線９０上に設けられる構成であってもよい。
【００２６】
【作用】
図において本プリント注文処理システム１０は上述のように構成されるため、前記文字データから構成される該注文データは、その全部または一部が、データ変換手段３によって写真焼付けプリンタ５にて取り扱いの可能な画像データに変換され、該データ変換手段３により生成した画像データは、写真焼付けプリンタ５によって処理されて該注文データに基づくプリントが得られる。文字データを、上述したような適宜の画像データに変換するためのデータ変換手段３は、公知のコンピュータ・ソフトウェアおよびコンピュータ等のハードウェアにより、適宜構成することができる。また、これと写真焼付けプリンタ５との接続は、たとえば社内ＬＡＮを構築するような公知のネットワーク技術により構成することができる。
【００２７】
図３は、本発明のプリント注文処理システムの別の構成を示す概念図である。図において本プリント注文処理システム２０は、インターネット等の電気通信回線９０を介してなされる写真撮影データの焼付けプリントの注文を処理するためのものであって、該システム２０は、該電気通信回線９０を介して文字データから構成される該注文データの全部または一部を写真焼付けプリンタ１５にて取り扱いの可能な画像データに変換するためのデータ変換手段１３と、該データ変換手段１３により生成した画像データを受信する画像データ受信手段１８と、該受信された画像データを処理して該注文データに基づくプリントを得るための写真焼付けプリンタ１５と、を備えて構成される（請求項５）。
【００２８】
かかる構成により本プリント注文処理システム２０では、該電気通信回線９０上に設けられたデータ変換手段１３により、文字データから構成される該注文データの全部または一部が写真焼付けプリンタ１５にて取り扱いの可能な画像データに変換され、該データ変換手段１３により生成した画像データは画像データ受信手段１８により受信され、該受信された画像データは写真焼付けプリンタ１５により処理されて、該注文データに基づくプリントが得られる。ここで、データ変換手段１３が該電気通信回線９０上に設けられている、とは、該回線９０に接続している他の端末装置から該データ変換手段１３に接続して、該手段１３に対する操作が行えて、これを機能させることができる状態をいう。または、少なくとも、該注文データ（文字データ）から画像データへの変換処理を実行できる状態をいう。したがって本システム２０により、たとえば、注文者側において該データ変換手段１３による文字データの画像変換処理がなされて、サービス提供者側はこれを該画像データ受信手段１８にて受信して該写真焼付けプリンタ１５での処理をするという方法が可能である。
【００２９】
図２および３に示した本発明のプリント注文処理システム１０、２０では、複数種類のデータから構成される前記注文データの中から前記データ変換手段３、１３による画像データへの変換の対象とするデータを抽出するための文字データ抽出手段（図示せず。）を設けることができる（請求項６）。該文字データ抽出手段は、単一の注文データから、異なる複数の変換対象データ群を抽出することができ、抽出された各データ群ごとの該データ変換手段３による画像データへの変換が可能なように構成することができる。これによりたとえば、氏名・住所等通信に際しての基本的な個人情報データ、注文日付・注文枚数等注文内容に係るデータ、その他のデータからなる一の注文データから、住所・氏名等からなる送付状用データ群、およびこれらデータに加えて注文内容に係るデータを有する納品書（あるいはさらに請求書）用データ群を該文字データ抽出手段によりそれぞれ抽出して該データ変換手段３に供し、送付状と納品書（あるいはさらに請求書）の焼付けプリントを、注文品である撮影写真データの焼付けと同じ作業の中で、ともに得ることができる。
【００３０】
なお、これら注文データに基づく送付状その他の書類の焼付けプリント仕上がりには、そこにサービス提供者の氏名または名称・住所・連絡先等の定型的な記載を、自動的に含ませることもできる。
【００３１】
以上述べた本発明の注文データ処理方法、プリント注文処理システムにより、送付状、宛名シール、納品書、請求書、領収書、納品書兼請求書、請求書兼領収書、納品書兼請求書兼領収書、その他の取引用書類または帳票類が写真焼付けされてなる、取引用書類等写真プリントを得ることができる（請求項７）。該取引用書類等写真プリントは、送付状は郵便やメール便の封筒等に貼り付けて用い、納品書、請求書等は、封筒等内に撮影写真焼付けプリントと同封するのに用いることができる。上述したように、特に撮影写真の焼付けプリントサービスの場合、本発明の取引用書類等写真プリントは、焼付け処理・検品・取引書類作成・出荷（納品）作業を簡素化し、かつこれらの各作業過程における揃え違い、入力ミス等の過誤を防止することができる。また上述のとおり、これら書類の焼付けプリントには、そこにサービス提供者の氏名または名称・住所・連絡先等の定型的な記載を、含ませることもできる。
【００３２】
【発明の効果】
本発明の注文データ処理方法、プリント注文処理システムおよび取引用書類等写真プリントは上述のように構成されているため、特に、撮影写真の焼付けプリントの注文処理を効率的に行えるとともに、誤検品や誤出荷、入力ミス等の過誤を効果的に防止することができる。つまり、注文された写真の焼付けプリントと送付状等の取引上必要な書類のプリントを同じ作業の中で処理することができ、作業効率を高めるとともに上述のような過誤を効果的に防止することができ、サービスの質・信頼の低下を防止することにもつながる。
【図面の簡単な説明】
【図１】本発明に係る注文データ処理方法の構成を示すフロー図である。
【図２】本発明のプリント注文処理システムの構成を示す概念図である。
【図３】本発明のプリント注文処理システムの別の構成を示す概念図である。
【符号の説明】
３、１３…データ変換手段
５、１５…写真焼付けプリンタ
１８…画像データ受信手段
１０、２０…プリント注文処理システム
９０…インターネット等電気通信回線
Ｐ１…データ変換過程
Ｐ２…焼付けプリント過程
【図１】
2005038023.tif 000003
【図２】
2005038023.tif 000004
【図３】
2005038023.tif 000005